(57)【要約】【課題】  ＣＤ−Ｒへの不正なコピーを抑止する。【解決手段】  ＣＤ−Ｒにデータの記録がされていない場合には、識別情報と、データとをＣＤ−Ｒに記録する（ステップ１０４、１１４）とともに、この記録に使用した機器に識別情報を保存する（ステップ１１５）。ＣＤ−Ｒにデータの記録がされている場合には、ＣＤ−Ｒから識別情報を読み出し、読み出した識別情報が機器に保存されているときには、データのＣＤ−Ｒへの記録を許可し（ステップ１２２）、読み出した識別情報が機器に保存されていないときには、データのＣＤ−Ｒへの記録を禁止する（ステップ１２２）。【選択図】        図３
2004265570.tif 000002
【特許請求の範囲】
【請求項１】
記録装置により記録メディアにデータを記録する場合に、
上記記録メディアからこの記録メディアを識別する識別情報を読み出し、
上記記録装置が上記読み出された識別情報を保存しているとき、上記データを上記記録メディアに記録する
ことを特徴とする記録方法。
【請求項２】
記録装置により記録メディアにデータを記録する場合に、
上記記録メディアにこの記録メディアを識別する識別情報が記録されていないとき、上記識別情報を作成し、
この作成した識別情報と、上記データとを上記記録メディアに記録するとともに、
上記作成した識別情報を上記記録装置に保存する
ことを特徴とする記録方法。
【請求項３】
記録装置により記録メディアにデータを記録する場合に、
上記記録メディアにこの記録メディアを識別する識別情報が記録されているかどうかを判別し、
この判別の結果、上記記録メディアに上記識別情報が記録されていないとき、上記識別情報を作成し、
この作成した識別情報と、上記データとを上記記録メディアに記録するとともに、
上記作成した識別情報を上記記録装置に保存し、
上記判別の結果、上記記録メディアに上記識別情報が記録されているとき、上記記録メディアから上記識別情報を読み出し、
上記記録装置が上記読み出された識別情報を保存しているとき、上記データを上記記録メディアに記録する
ことを特徴とする記録方法。
【請求項４】
請求項１、請求項２あるいは請求項３に記載の記録方法において、
上記データの記録の工程は、
上記識別情報を使用して形成された鍵データにより上記データを暗号化し、
この暗号化されたデータを上記記録メディアに記録する
内容である
ことを特徴とする記録方法。
【請求項５】
請求項２または請求項３に記載の記録方法において、
上記識別情報の作成は、上記記録装置に固有の情報に基づいて行う
ことを特徴とする記録方法。
【請求項６】
記録メディアにデータを記録する記録装置において、
上記記録メディアからこの記録メディアを識別する識別情報を読み出す読み出し手段と、
上記識別情報を保存する保存手段と、
上記読み出し手段により読み出した識別情報が、上記保存手段に保存しているかどうかを判別する判別手段と
を有し、
上記判別手段が、上記読み出し手段により読み出した識別情報が上記保存手段に保存されていると判別したとき、上記データを上記記録メディアに記録する
ことを特徴とする記録装置。
【請求項７】
記録メディアにデータを記録する記録装置において、
上記記録メディアにこの記録メディアを識別する識別情報が記録されているかどうかを判別する判別手段と、
上記識別情報を作成する作成手段と、
上記識別情報を保存する保存手段と
を有し、
上記判別手段が、上記記録メディアに上記識別情報が記録されていないと判別したとき、上記作成手段が識別情報を作成し、
この作成された識別情報と上記データとを上記記録メディアに記録し、
上記作成された識別情報を上記保存手段に保存する
ことを特徴とする記録装置。
【請求項８】
記録メディアにデータを記録する記録装置であって、
上記記録メディアからこの記録メディアを識別する識別情報を読み出す読み出し手段と、
上記識別情報を作成する作成手段と、
上記識別情報を保存する保存手段と
を有し、
上記読み出し手段が、上記記録メディアに上記識別情報が記録されていないと判別した場合、上記作成手段が識別情報を作成し、
この作成された識別情報と上記データとを上記記録メディアに記録し、
上記作成された識別情報を上記保存手段に保存し、
上記読み出し手段が、上記記録メディアに上記識別情報が記録されていると判別した場合に、上記読み出し手段により読み出された識別情報が、上記保存手段に保存してあるとき、上記データを上記記録メディアに記録する
ことを特徴とする記録装置。
【請求項９】
請求項５、請求項６あるいは請求項７に記載の記録装置において、
上記データを、上記識別情報を使用して形成された鍵データにより暗号化して上記記録メディアに記録する
ことを特徴とする記録装置。
【請求項１０】
請求項６あるいは請求項７に記載の記録装置において、
上記作成手段は、上記記録装置に固有の情報に基づいて上記識別情報を作成する
ことを特徴とする記録装置。
【請求項１１】
識別情報およびこの識別情報に基づいて暗号化されたデータが記録された記録メディアから、上記識別情報および上記データを読み出し、
この読み出した上記識別情報に基づいて上記読み出したデータを再生データに復号化し、
この再生データから再生を行う
ことを特徴とする再生方法。
【請求項１２】
識別情報およびこの識別情報に基づいて暗号化されたデータが記録された記録メディアから、上記識別情報および上記データを読み出す読み出し手段と、
この読み出し手段により読み出された上記識別情報に基づいて上記読み出したデータを再生データに復号化する復号手段と、
この復号手段により得られた上記再生データを再生する再生手段と
を有する
ことを特徴とする再生装置。
【請求項１３】
データが記録されているとともに、
上記データの記録に使用した機器に保存した当該記録メディアに固有の識別情報が記録されている
ことを特徴とする記録メディア。
【発明の詳細な説明】
【技術分野】
【０００１】
この発明は、不正コピーを抑止できるデータの記録方法、記録装置、再生方法、再生装置および記録メディアに関する。
【背景技術】
【０００２】
ＣＤ−Ｒ（Compact Disc Recordable）は、パーソナルコンピュータを使用することによりデジタルデータを簡単に書き込むことができる。また、ＣＤ−Ｒは、デジタルデータの書き込みが一度だけできるライトワンス型の記録メディアであるが、適切な書き込みソフトウェアを使用することにより、ＣＤ−Ｒの未記録領域には、後からデジタルデータを追加して書き込むことができ、ＣＤ−Ｒは追記録型の記録メディアとして使用することができる。
【０００３】
このため、ＣＤ−Ｒは、デジタルデータの記録メディアとして、音楽、画像、テキストを始めとする各種の情報の記録に広く利用されている。
【０００４】
なお、先行技術文献として例えば以下のものがある。
【特許文献１】特開２０００−３１１１１４号公報
【発明の開示】
【発明が解決しようとする課題】
【０００５】
ところが、ＣＤ−Ｒは、そのＣＤ−Ｒを特定するための固有のＩＤ（IDentification；識別子）を持たないので、不正なコピーや不正に近いコピーにも使用されている。例えば、アルバム（音楽ＣＤ）から一部の曲だけを取り出してＣＤ−Ｒにコピーしたり、複数のＣＤの曲を１枚のＣＤ−Ｒにまとめて焼いたりなどに使用されている。あるいは、インターネットを通じて曲を収集してＣＤ−Ｒに保存したり、さらには入手した曲をＣＤ−Ｒに焼いて友人に配布したりなどにも使用されている。
【０００６】
この発明は、上述のような点にかんがみ、アルバムの場合であれば、曲単位でのコンテンツの流通を抑制し、その結果、曲の交換が意味を持たないようにするものである。
【課題を解決するための手段】
【０００７】
この発明においては、
記録装置により記録メディアにデータを記録する場合に、
上記記録メディアからこの記録メディアを識別する識別情報を読み出し、
上記記録装置が上記読み出された識別情報を保存しているとき、上記データを上記記録メディアに記録する
ことを特徴とする記録方法
とするものである。  
また、この発明においては、
記録装置により記録メディアにデータを記録する場合に、
上記記録メディアにこの記録メディアを識別する識別情報が記録されていないとき、上記識別情報を作成し、
この作成した識別情報と、上記データとを上記記録メディアに記録するとともに、
上記作成した識別情報を上記記録装置に保存する
ことを特徴とする記録方法
とするものである。  
さらに、この発明においては、
記録装置により記録メディアにデータを記録する場合に、
上記記録メディアにこの記録メディアを識別する識別情報が記録されているかどうかを判別し、
この判別の結果、上記記録メディアに上記識別情報が記録されていないとき、上記識別情報を作成し、
この作成した識別情報と、上記データとを上記記録メディアに記録するとともに、
上記作成した識別情報を上記記録装置に保存し、
上記判別の結果、上記記録メディアに上記識別情報が記録されているとき、上記記録メディアから上記識別情報を読み出し、
上記記録装置が上記読み出された識別情報を保存しているとき、上記データを上記記録メディアに記録する
ことを特徴とする記録方法
とするものである。  
【発明の効果】
【０００８】
この発明によれば、同じディスクに異なるパーソナルコンピュータを使用して曲をコピーするができないので、曲が不法にコピーされて流通することが抑止される。
【発明を実施するための最良の形態】
【０００９】
１．構成例
図１において、符号１０は、この発明を適用したパーソナルコンピュータを示し、符号２０は、パーソナルコンピュータ１０によりコピーを行ったＣＤ−Ｒを示す。また、以下の説明においては、コピーの対象となるコンテンツが音楽の場合であり、このため、符号３０は、専用のＣＤプレーヤを示す。
【００１０】
そして、パーソナルコンピュータ１０は、一般的な構成の本体部１１を有するとともに、この発明に関わるものとして、ハードディスク装置１２と、エンコーダ回路１３と、記録回路１４と、ＣＤ−Ｒドライブ装置１５と、コピールーチン１００とを有する。この場合、本体部１１は、図示はしないが、ＣＰＵ（Central Processing Unit）、ハードディスク装置、メモリ、入出力インターフェイス、ユーザインターフェイスなどから構成され、一般的なパーソナルコンピュータのコア部分に対応している。
【００１１】
また、ハードディスク装置１２には、図２Ａに示すように、コピーの許可されている複数の曲（曲１〜曲Ｎ）が、所定のフォーマットのファイルの状態で蓄積されている。なお、この例においては、ハードディスク装置１２に蓄積されている曲１〜曲Ｎは、そのデジタルオーディオデータが、例えばＡＴＲＡＣ３（登録商標）（Adaptive TRansform Acoustic Coding 3 (Trade Mark)）方式によりデータ圧縮がされているものとする。
【００１２】
さらに、ハードディスク装置１２には、図２Ａにも示すように、データベースDTBSが用意される。このデータベースDTBSには、後述するようにＣＤ−Ｒ２０を識別するためのディスクＩＤと、そのＣＤ−Ｒ２０に記録されている曲の数と、その曲の全データ量（バイト数）とが一覧表形式で保存される。
【００１３】
なお、ハードディスク装置１２は、本体部１１のものであってもよく、すなわち、このパーソナルコンピュータ１０のＯＳ（Operating System）やアプリケーションなどがインストールされているハードディスク装置の一部であってもよい。また、エンコーダ回路１３は、ハードディスク１２の曲をＣＤ−Ｒ２０にコピーするとき、その曲のオーディオデータを暗号化するためのものである。なお、その暗号化の種類は任意である。
【００１４】
さらに、記録回路１４は、記録時（書き込み時）、その記録されるデータにエラー訂正ためのエンコード処理を行うとともに、記録用の変調処理を行うものである。また、ＣＤ−Ｒドライブ装置１５は、記録回路１４から出力される記録信号をＣＤ−Ｒ２０に光学記録するものである。
【００１５】
また、コピールーチン１００は、その詳細については後述するが、例えば図３に示すような内容とされ、曲をＣＤ−Ｒ２０にコピーするとき、適正なコピーだけを実行するものである。なお、コピールーチン１００は、記憶手段（図示せず）に記憶されているものであるが、その記憶手段はハードディスク装置１２であってもよい。
【００１６】
また、ＣＤプレーヤ３０は、この例においては、ポータブルタイプに構成されているもので、ＣＤドライブ装置３１と、再生回路３２と、デコーダ回路３３と、アンプ３４とを有する。この場合、ＣＤドライブ装置３１は、ＣＤ−Ｒから信号を光学再生するものであり、再生回路３２は、その再生信号に対して復調処理およびエラー訂正のデコード処理を行ってもとのオーディオデータを出力するものである。
【００１７】
さらに、デコーダ回路３３は、暗号化されているオーディオデータの復号化処理およびデータ圧縮されているオーディオデータのデータ伸長処理を行うものである。なお、符号３５は、ヘッドホンを示す。
【００１８】
このような構成において、ハードディスク装置１２に蓄積されている曲をＣＤ−Ｒ２０にコピーするとき、パーソナルコンピュータ１０においてコピールーチン１００が以下のように実行される。
【００１９】
２．一般的なコピー
これは、ハードディスク装置１２に用意されている曲１〜曲Ｎのうち、任意の曲をＣＤ−Ｒ２０にコピーする場合である。
【００２０】
この場合には、ＣＤ−Ｒドライブ装置１５に未記録（未使用）のＣＤ−Ｒ２０をセットし、次にコピールーチン１００を実行する。すると、コピールーチン１００の処理がステップ１０１からスタートし、次にステップ１０２において、ＣＤ−Ｒドライブ装置１５にセットされているＣＤ−Ｒ２０が未記録であるかどうかがチェックされる。
【００２１】
ここで、「未記録のＣＤ−Ｒ」とは、この発明の記録方法による記録の行われていないＣＤ−Ｒを示すものとする。すなわち、未記録のＣＤ−Ｒとは、後述する「ディスクＩＤ」が所定の記録エリアに記録されていないＣＤ−Ｒを示し、この発明の記録方法によらない方法でデータなどが記録されているＣＤ−Ｒであっても、有効な未記録領域があれば、「未記録のＣＤ−Ｒ」に含むものとする。
【００２２】
そして、未記録のＣＤ−Ｒのときには、処理はステップ１０２からステップ１０３に進み、このステップ１０３において、ディスクＩＤが形成される。このディスクＩＤは、ＣＤ−Ｒ２０に固有の識別コードであり、この例においては、パーソナルコンピュータ１０のハードウェアの情報を種に使用して所定のビット長の乱数を生成し、この乱数を処理して形成するものである。
【００２３】
続いて、ステップ１０４において、図２Ｂに示すように、ステップ１０３により形成したディスクＩＤがＣＤ−Ｒ２０の所定の記録エリアに記録される。なお、ステップ１０２における未記録のＣＤ−Ｒのチェックは、この記録されたディスクＩＤを使用して行われる。
【００２４】
その後、処理はステップ１１１に進み、このステップ１１１において、ハードディスク装置１２に用意されている曲１〜曲Ｎのうち、ＣＤ−Ｒ２０にコピーする曲の指定待ちとなる。そこで、コピーする曲（単数あるいは複数の曲）を指定すると、処理はステップ１１１からステップ１１２に進み、このステップ１１２において、暗号化用のメインの鍵データが用意される。すなわち、ステップ１０３により形成されたディスクＩＤを使用してサブの鍵データが形成され、このサブの鍵データによりメインの鍵データが暗号化される。なお、ステップ１１１により指定された曲が複数ある場合には、暗号化後のメインの鍵データは曲ごとに異なるものとされる。
【００２５】
続いて、処理はステップ１１３に進み、このステップ１１３において、ハードディスク装置１２に用意されている曲１〜曲Ｎのうち、ステップ１１１により指定された曲のファイルが暗号化される。この暗号化には、ステップ１１２により用意されたメインの鍵データが使用される。そして、このステップ１１３の暗号化が終了すると、処理はステップ１１４に進み、このステップ１１４において、図２Ｂに示すように、ステップ１１３により処理された曲のファイルがＣＤ−Ｒ２０に記録される。
【００２６】
そして、このコピーが終了すると、処理はステップ１１５に進み、このステップ１１５において、ハードディスク装置１２におけるデータベースDTBSが更新される。つまり、今の場合は、未記録のＣＤ−Ｒ２０に曲をコピーしたので、ステップ１０３により形成したディスクＩＤと、ＣＤ−Ｒ２０にコピーした曲の数と、その曲の全データ量（バイト数）とが、これらを１組としてデータベースDTBSに書き込まれる。
【００２７】
なお、このとき、データベースDTBSに書き込まれたディスクＩＤは、ステップ１０３により形成されたものであるが、ステップ１０４によりＣＤ−Ｒ２０に書き込まれたディスクＩＤでもある。そして、処理はステップ１１６に進み、ＣＤ−Ｒ２０への曲のコピーを終了する。
【００２８】
したがって、ステップ１０１〜１０４、１１１〜１１６によれば、未記録のＣＤ−Ｒ２０を用意した場合には、ハードディスク装置１２に用意されている曲がＣＤ−Ｒ２０にコピーされる。そして、そのとき、そのＣＤ−Ｒ２０には、固有のディスクＩＤが付与されるとともに、そのディスクＩＤはデータベースDTBSにも登録されていることになる。なお、ＣＤ−Ｒ２０の再生については、後述する。
【００２９】
３．同一機による追加コピー
これは、上記２項により作成したＣＤ−Ｒ２０に、そのＣＤ−Ｒ２０を作成したパーソナルコンピュータを使用して、曲を新たに追加コピーする場合である。この追加コピーは許可される。
【００３０】
すなわち、上記２項により作成したＣＤ−Ｒ２０をＣＤ−Ｒドライブ装置１５にセットしてコピールーチン１００を実行する。すると、ステップ１０２において、ＣＤ−Ｒドライブ装置１５にセットされたＣＤ−Ｒ２０が未記録のＣＤ−Ｒではないので、処理はステップ１０２からステップ１２１に進む。
【００３１】
そして、このステップ１２１において、ＣＤ−Ｒ２０からディスクＩＤが読み出され、次にステップ１２２において、ステップ１２１により読み出されたディスクＩＤが、データベースDTBSに含まれているかどうかが判別される。今の場合、ＣＤ−Ｒ２０は、以前にパーソナルコンピュータ１０により作成しているので、ＣＤ−Ｒ２０から読み出したディスクＩＤは、データベースDTBSに存在する。
【００３２】
このため、処理はステップ１２２からステップ１１１に進む。したがって、以後、上記２項の場合と同様にステップ１１１以降の処理が実行されるので、上述のように、ＣＤ−Ｒ２０に曲をコピーできることになる。つまり、追加コピーできることになる。
【００３３】
こうして、ＣＤ−Ｒ２０は、そのＣＤ−Ｒ２０を作成したパーソナルコンピュータを使用すれば、ハードディスク装置１２の曲を新たに追加コピーすることができる。
【００３４】
４．他機による追加コピー
これは、パーソナルコンピュータ１０と同等の機能を有する別のパーソナルコンピュータをパーソナルコンピュータ１０Ｘとするとき、パーソナルコンピュータ１０により作成したＣＤ−Ｒ２０に、パーソナルコンピュータ１０Ｘにより曲を追加コピーをする場合である。しかし、この追加コピーは禁止される。
【００３５】
すなわち、パーソナルコンピュータ１０Ｘにおいて、追加コピーのためコピールーチン１００を実行すると、上記３項で説明したように、ステップ１２１において、ＣＤ−Ｒ２０からディスクＩＤが読み出され、次にステップ１２２において、ステップ１２１により読み出されたディスクＩＤが、データベースDTBSに含まれているかどうかが判別される。
【００３６】
しかし、今の場合、ＣＤ−Ｒ２０はパーソナルコンピュータ１０で作成しているので、パーソナルコンピュータ１０Ｘのハードディスク装置１２のデータベースDTBSには、ＣＤ−Ｒ２０から読み出したディスクＩＤと等しいディスクＩＤは存在しない。このため、処理は、ステップ１２２からステップ１１６に進み、このコピールーチン１００を終了する。
【００３７】
したがって、パーソナルコンピュータ１０Ｘが、パーソナルコンピュータ１０と同等の機能を有するパーソナルコンピュータであっても、パーソナルコンピュータ１０により作成したＣＤ−Ｒ２０に、パーソナルコンピュータ１０Ｘにより曲を追加コピーをすることはできず、禁止されたことになる。
【００３８】
このことは、パーソナルコンピュータ１０でＣＤ−Ｒ２０に曲のコピーをしたら、そのＣＤ−Ｒ２０には、パーソナルコンピュータ１０と同等の機能を有するパーソナルコンピュータを用意しても曲の追加コピーをできないことを示している。つまり、同じＣＤ−Ｒ２０は、異なるパーソナルコンピュータを使用して曲をコピーすることはできない。
【００３９】
したがって、ＣＤ−Ｒ２０は、パーソナルコンピュータ１０以外のパーソナルコンピュータから見れば、ＣＤ−ＲＯＭ（Compact Disc Read Only Memory）と等価であり、しかも、記録されている曲は暗号化されている。したがって、ＣＤ−Ｒ２０は、不法な流通にとって不便であり、コピーの広がることを抑止することができる。
【００４０】
５．ＣＤ−Ｒ２０の再生
上記２項あるいは上記３項により作成されたＣＤ−Ｒ２０は、ＣＤプレーヤ３０により再生することができる。すなわち、ＣＤプレーヤ３０においては、ＣＤドライブ装置３１によりＣＤ−Ｒ２０から信号が再生され、この再生信号が再生回路３２に供給されて復調およびエラー訂正処理がされ、再生回路３２からは、ディスクＩＤと、暗号化された曲の信号とが取り出される。
【００４１】
そして、これら信号がデコーダ回路３３に供給され、取り出されたディスクＩＤを使用して復号化用の鍵データが形成されるとともに、この鍵データにより暗号化された曲の信号が復号され、この復号された曲の信号がアンプ３４を通じてヘッドホン３５に供給される。したがって、ＣＤ−Ｒ２０に記録されている曲を聴くことができる。
【００４２】
６．その他
上述においては、記録メディアがＣＤ−Ｒ２０の場合であるが、ＤＶＤ−Ｒ（DVD Recordable）などの追記録の可能な記録メディア、ＣＤ−ＲＷ（Compact Disc ReWritable）やＤＶＤ−ＲＷ（DVD ReWritable）などの繰り返しデータの書き換えができる、いわゆる書き換え型の記録メディア、さらには磁気ディスク、光磁気ディスクや半導体メモリなど記録可能なメディアであれば、この発明を適用することができる。
【００４３】
また、記録される情報も、曲（音楽）に限るものではなく、静止画や動画などの画像、文章などのテキスト、各種のデータベースのデータ、プログラムなどであってもよく、電子ファイルであればよい。
【００４４】
さらに、上述においては、ハードディスク装置１２に蓄積されている曲のオーディオデータがデータ圧縮されているとしたが、ハードディスク１２では無圧縮であり、ＣＤ−Ｒ２０にコピーするときに、暗号化に先だってデータ圧縮するものであってもよい。
【００４５】
また、ハードディスク装置１２に蓄積されている曲のオーディオデータが、データ圧縮されているとともに、暗号化されていてもよく、その場合には、エンコーダ回路１３は不要である。さらに、エンコーダ回路１３は、本体部１１に余裕があるときには、本体部１１のソフトウェア処理により実現することもできる。
【図面の簡単な説明】
【００４６】
【図１】この発明の一形態を示す系統図である。
【図２】この発明を説明するための図である。
【図３】この発明の一形態を示すフローチャートである。
【符号の説明】
【００４７】
１０…パーソナルコンピュータ、１１…本体部、１２…ハードディスク装置、１３…エンコーダ回路、１４…記録回路、１５…ＣＤ−Ｒドライブ装置、２０…ＣＤ−Ｒ、３０…ＣＤプレーヤ、３１…ＣＤドライブ装置、３２…再生回路、３３…デコーダ回路、３５…ヘッドホン、１００…コピールーチン
【図１】
2004265570.tif 000003
【図２】
2004265570.tif 000004
【図３】
2004265570.tif 000005